(57)【要約】  【課題】隣接配置したオープンショーケースの端部同士をずれを防止し、従来の連結部材を不要とすることができるオープンショーケースを提供する。  【解決手段】商品陳列部２の前面に手すりレール１５を備え、複数台が隣接配置されるオープンショーケース１において、前記手すりレール１５の両端に、隣接配置されるオープンショーケース１，１の手すりレール１５，１５の端部同士を凹凸嵌合させる凹凸部１７ａ、１８ａを有するエンドキャップ１７，１８を取り付ける。【選択図】図３
2008194109.tif 000002
【特許請求の範囲】
【請求項１】
商品陳列部の前面に手すりレールを備え、複数台が隣接配置されるオープンショーケースにおいて、前記手すりレールの両端に、隣接配置されるオープンショーケースの手すりレールの端部同士を凹凸嵌合させる凹凸部を有するエンドキャップを取り付けたことを特徴とするオープンショーケース。
【発明の詳細な説明】
【技術分野】
【０００１】
本発明は、オープンショーケースに関し、詳しくは、ショーケース本体の商品陳列部の前面に手すりレールを備えたオープンショーケースであって、特に、店舗にて複数台を隣接して配置する際に好適な構造を有するオープンショーケースに関する。
【背景技術】
【０００２】
従来から、スーパーマーケットやコンビニエンスストア等の食品売場では、商品を陳列販売するためにオープンショーケースが用いられており、複数台のオープンショーケースを隣接させて配置することが多く行われている。このように複数台のオープンショーケースを隣接配置する場合、隣接するオープンショーケースの端部同士がずれた状態になると見栄えがわるくなるため、隣接するオープンショーケースの端部間を連結するための連結部材を手すりレールや下部ガードレールの端部を覆うようにして取り付けている（例えば、特許文献１参照。）。
【特許文献１】特開２００４−８４９６１号公報
【発明の開示】
【発明が解決しようとする課題】
【０００３】
しかし、上述の連結部材は、手すりレールや下部ガードレールに係止した状態で着脱可能に取り付けられているため、ショッピングカートが衝突すると外れてしまうことがあった。また、連結部材をネジ等で強固に固定することも可能であるが、オープンショーケースを搬入した後の作業が増大するため好ましくなく、レイアウトの変更も面倒になってしまう。
【０００４】
そこで本発明は、オープンショーケースを隣接配置する際の隣接するオープンショーケースの端部同士をずれなく配置することができ、従来の連結部材を不要とすることができるオープンショーケースを提供することを目的とする。
【課題を解決するための手段】
【０００５】
上記の課題を解決するため本発明は、商品陳列部の前面に手すりレールを備え、複数台が隣接配置されるオープンショーケースにおいて、前記手すりレールの両端に、隣接配置されるオープンショーケースの手すりレールの端部同士を凹凸嵌合させる凹凸部を有するエンドキャップを取り付けたことを特徴としている。
【発明の効果】
【０００６】
本発明のオープンショーケースによれば、オープンショーケースを隣接配置する際に、手すりレールの端部に設けたエンドキャップ同士が凹凸嵌合して位置決めされるので、オープンショーケース同士を見栄えよく隣接配置することができる。
【発明を実施するための最良の形態】
【０００７】
以下、本発明の一実施の形態について、図面に基づき説明する。
図１は本発明の一実施形態を示すオープンショーケースの断面側面図、図２は同じく要部の拡大断面図、図３は手すりレールにエンドキャップを取り付けたオープンショーケースを隣接させる前の状態を示す要部の平面図、図４は手すりレールにエンドキャップを取り付けたオープンショーケースを隣接配置した状態を示す要部の平面図である。
【０００８】
本形態例に示すオープンショーケース１は、一般にアイランドケースと呼ばれるもので、上方が開口した箱形の商品陳列部２の下部に冷却器３及び送風機４を収容した下部ダクト５が設けられている。商品陳列部２の後方には、上部に冷気吹出口６を有する後部ダクト７が設けられるとともに、商品陳列部２の前方には、上部に冷気吸込口８を有する前部ダクト９が設けられ、冷気吹出口６から商品陳列部２の上方に向けて吹き出された冷気を冷気吸込口８で吸い込むことにより、冷気を循環させながら商品陳列部２の上方に冷気によるエアーカーテンを形成している。また、オープンショーケース１のベース部１０内には冷凍機が収容されており、下部ダクト５の底部にはドレン１１が接続されている。
【０００９】
商品陳列部２の手前側上部には、透明板からなる冷気ガイド１２と前面パネル１３とが設けられ、商品陳列部２の手前側下部には、化粧パネル１４が設けられ、その上部には手すりレール１５が、下部にはガードレール１６がそれぞれ設けられている。手すりレール１５及びガードレール１６は、板材を屈曲させて断面コ字状に形成したものであって、これらの両端には、端部開口を塞ぐエンドキャップがそれぞれ嵌め込まれている。
【００１０】
手すりレール１５の両端に取り付けられるエンドキャップは、凸部１７ａを有する雄側エンドキャップ１７と、前記凸部１７ａに対応した凹部１８ａを有する雌側エンドキャップ１８とがあり、それぞれ、手すりレール１５内に嵌合する嵌合部１７ｂ、１８ｂと、手すりレール１５の端面を覆うキャップ部１７ｃ、１８ｃとを有している。
【００１１】
このように形成したエンドキャップ１７，１８をオープンショーケース１の手すりレール１５の両端に、例えば、手すりレール１５の左端に凸部１７ａを有する雄側エンドキャップ１７を、右端に凹部１８ａを有する雌側エンドキャップ１８を、それぞれ取り付けておくことにより、複数台のオープンショーケース１，１を隣接配置したときに、エンドキャップ１７，１８の凸部１７ａと凹部１８ａとが凹凸嵌合して位置決めされるので、オープンショーケース１，１同士を見栄えよく隣接配置することができる。
【００１２】
したがって、オープンショーケース１，１の手すりレール１５，１５の端部に雄側エンドキャップ１７と雌側エンドキャップ１８とをあらかじめ取り付けておくことにより、隣接配置したオープンショーケース１，１間に連結部材を設ける必要がなくなり、ショッピングカートの衝突に対する備えも不要となる。さらに、連結部材を取り付ける作業が不要となるので、オープンショーケース１，１の隣接配置作業を簡単に短時間で行うことができる。
【００１３】
また、手すりレール１５に前記エンドキャップ１７，１８を取り付けておくことにより、買い物客の目に付きやすい部分の位置ずれを確実に防止できるが、化粧パネル１４下部のガードレール１６の両端にも、前記同様にして凹凸嵌合するエンドキャップを取り付けておくようにしてもよく、エンドキャップ１７，１８を手すりレール１５に取り付けることが困難な場合にはガードレール１６の両端にのみ凹凸嵌合するエンドキャップを取り付けるようにしてもよい。さらに、オープンショーケースの構造は任意であり、本発明は、各種形式のオープンショーケースに適用可能である。
【図面の簡単な説明】
【００１４】
【図１】本発明の一実施形態を示すオープンショーケースの断面側面図である。
【図２】同じく要部の拡大断面図である。
【図３】手すりレールにエンドキャップを取り付けたオープンショーケースを隣接させる前の状態を示す要部の平面図である。
【図４】手すりレールにエンドキャップを取り付けたオープンショーケースを隣接配置した状態を示す要部の平面図である。
【符号の説明】
【００１５】
１    オープンショーケース
２    商品陳列部
３    冷却器
４    送風機
５    下部ダクト
６    冷気吹出口
７    後部ダクト
８    冷気吸込口
９    前部ダクト
１０    ベース部
１１    ドレン
１２    冷気ガイド
１３    前面パネル
１４    化粧パネル
１５    手すりレール
１６    ガードレール
１７    雄側エンドキャップ
１７ａ    凸部
１７ｂ    嵌合部
１７ｃ    キャップ部
１８    雌側エンドキャップ
１８ａ    凹部
１８ｂ    嵌合部
１８ｃ    キャップ部
【図１】
2008194109.tif 000003
【図２】
2008194109.tif 000004
【図３】
2008194109.tif 000005
【図４】
2008194109.tif 000006